(57)【特許請求の範囲】
【請求項１】
本体（１）内部に弾性材料からなるペン先シール部材（２）を圧入させた筆記具のキャップにおいて、本体（１）内周とペン先シール部材（２）外周との間に潤滑剤（３）を介在させ、前記潤滑剤（３）が粉体であり、前記粉体の潤滑剤（３）の粒径が０．１μｍ〜２０μｍであることを特徴とする筆記具のキャップ。
【請求項２】
本体（１）内部に弾性材料からなるペン先シール部材（２）を圧入させた筆記具のキャップにおいて、ペン先シール部材（２）表面に潤滑剤（３）を配し、前記潤滑剤（３）が粉体であり、前記粉体の潤滑剤（３）の粒径が０．１μｍ〜２０μｍであることを特徴とする筆記具のキャップ。
【請求項３】
本体（１）内部に弾性材料からなるペン先シール部材（２）を圧入させた筆記具のキャップにおいて、ペン先シール部材（２）表面に潤滑剤（３）を付着させ、前記潤滑剤（３）が粉体であり、前記粉体の潤滑剤（３）の粒径が０．１μｍ〜２０μｍであることを特徴とする筆記具のキャップ。
【請求項４】
本体（１）内部に弾性材料からなるペン先シール部材（２）を圧入させた筆記具のキャップにおいて、ペン先シール部材（２）が、潤滑剤（３）を分散させて成形されてなることを特徴とする筆記具のキャップ。
【請求項５】
前記潤滑剤（３）が粉体である請求項４記載の筆記具のキャップ。
【請求項６】
前記粉体の潤滑剤（３）の粒径が０．１μｍ〜２０μｍである請求項５記載の筆記具のキャップ。
【発明の詳細な説明】
【０００１】
【産業上の利用分野】
本発明は、ボールペンや細管式筆記具等における筆記具のキャップに関する。さらに詳細には、本体内部に弾性材料からなるペン先シール部材を圧入させた筆記具のキャップに関する。
【０００２】
【従来の技術】
従来この種の筆記具において、通常、弾性材料よりなるペン先シール部材は、キャップ本体開口部から治具等によって圧入される。しかし、ペン先シール部材はゴム等の弾性材料で構成されているため、ペン先シール部材の外周面とキャップ内周面との間に大きな摩擦抵抗力が発生して、スムーズにキャップ本体内に装着させることができなかった。特に、前記摩擦抵抗力が過大の場合、ペン先シール部材を損傷させたり、キャップ本体内部の所定位置にペン先シール部材を配置させることができなかった。
【０００３】
【発明が解決しようとする課題】
本発明は前記従来の問題点を解決するものであって、キャップ本体内部にペン先シール部材をスムーズに圧入することができる筆記具のキャップを提供しようとするものである。
【０００４】
【課題を解決するための手段】
本発明は、本体１内部に弾性材料からなるペン先シール部材２を圧入させた筆記具のキャップであって、本体１内周とペン先シール部材２外周との間に潤滑剤３を介在させたことを要件とする。
【０００５】
また、前記構成において、ペン先シール部材２表面に潤滑剤３を配設することが有効である。さらに、前記構成において、ペン先シール部材２表面に潤滑剤３を付着させる構成、又はペン先シール部材２が、潤滑剤３を分散させて成形されてなる構成が好ましい。
【０００６】
また、前記潤滑剤３が粉体であること、さらには、前記粉体の潤滑剤３の粒径は、０．１μｍ〜２０μｍであることが好ましい。
【０００７】
【作用】
本体１内周とペン先シール部材２外周との間に潤滑剤３を介在させたことによって、本体１内周とペン先シール部材２外周との間の圧入時の摩擦抵抗力を小さくすることができ、ペン先シール部材２をキャップ本体１内部にスムーズに圧入することが可能となる。その結果、ペン先シール部材２を損傷させることがなく、またキャップ本体１内部の所定位置にペン先シール部材２を確実に配置させることができる。
【０００８】
【実施例】
本発明の実施例を図１、図２及び図３に示す。
【０００９】
本体１は、プラスチック材料（例えば、ポリプロピレン、ポリエチレン、ポリブチレンテレフタレート、ポリエチレンテレフタレート等）の射出成形により得られ、外周部にクリップ１１が一体的に突設されている。本体１内部には、ペン先シール部材２の最大外径より僅かに小径の内径を有する装着部１２が設けられ、該装着部１２にペン先シール部材２が圧入される。尚、本体１は、金属製であってもよい。
【００１０】
前記ペン先シール部材２は、弾性材料により形成される。具体的には、例えば、シリコンゴム、ウレタンゴム、エチレン−プロピレンゴム、スチレン−ブタジエンゴム、フッ素ゴム等の合成ゴムや、天然ゴム等が有効である。
【００１１】
また、前記ペン先シール部材２は、筒状支持部２１と凹部２２が一体に連設されてなる。前記凹部２２の周壁は、肉薄に形成されているため、ペン先のソフトなタッチが可能となる。また、前記筒状支持部２１の両端部には、環状突起２３が設けられている。これにより、接触面積が小となるため、ペン先シール部材２が互いに吸着されることがない上、潤滑剤３と相まって、ペン先シール部材２の組立工程中（例えば、部品供給装置内等）での流れを良好にできる。
【００１２】
この他にも、ペン先シール部材２は、球状体、あるいは凹部２２が中央に一体に設けられた板状体等であってもよい。
【００１３】
潤滑剤３は、シリコーンオイル、界面活性剤等の液状のものであってもよいが、粉体が好ましく、例えば、二硫化モリブデン、４フッ化エチレン樹脂（ＰＴＦＥ）、テトラフルオロエチレン（ＴＦＥ）、ステアリルエルカアマイド、ステアリン酸アミド、エルカ酸アミド、ベヘニン酸アマイド、エチレンビスステアリン酸アマイド、ｎ−オレイルベヘニン酸アミド、ステアリン酸マグネシウム、ステアリン酸カルシウム、窒化硼素、メラミンシアヌレート、メチルシリコーン等が挙げられ、前記に挙げた潤滑剤３は、ペン先シール部材２の材質やインキに対し、不活性である。
【００１４】
前記粉体の潤滑剤３の粒径は、０．１μｍ〜２０μｍが好ましい。さらに好ましくは、均一に付着でき一層の潤滑作用を得られること、及びペン先に付着しても筆記に悪影響を与えない点で、０．１μｍ〜１０μｍの細粒径ものが好ましい。
【００１５】
尚、本実施例では、潤滑剤３として、粉体の４フッ化エチレン樹脂（ＰＴＦＥ）（株式会社喜多村製ＫＴＬ−５００Ｆ、５０％粒径２．５μｍ）を使用した。また、本実施例では、透明材料よりなる本体１にペン先シール部材２を装着させているが、外部からペン先シール部材２を目視しても、前記潤滑剤３は、目立つことがなく、ペン先シール部材２の美観を損ねることがない。
【００１６】
図２は、ペン先シール部材２の全表面に粉体の潤滑剤３を均一に付着させたものである。本実施例では、インキやペン先シール部材２と反応せず、且つ筆記性能に悪影響を及ぼさない特性の潤滑剤３を採用しているため、ペン先の密接する凹部２２または凹部２２近傍にも潤滑剤３が塗布されている。勿論、この他にも本体１内周と接触するペン先シール部材２外周のみに付着させることも有効である。
【００１７】
図３のペン先シール部材２は、成形する際、粉体の潤滑剤３（図２に適用したものと同じ）を弾性材料中へ分散混入させて得られる。これにより、潤滑剤３をペン先シール部材２に付着（又は塗布）する作業が不要となる。
【００１８】
また、前記実施例以外にも、ペン先シール部材２を装着させる以前に予め、本体１内周面又は装着部１２に、潤滑剤３を付着させておくことも有効である。
【００１９】
【発明の効果】
本発明筆記具のキャップは、前記構成にしたことによって、本体内周とペン先シール部材外周との間の圧入時の摩擦抵抗力を小さくすることができ、ペン先シール部材をキャップ本体内部にスムーズに圧入することが可能となる。その結果、ペン先シール部材を損傷させることがなく、またキャップ本体内部の所定位置にペン先シール部材を確実に配置させることができる。
【図面の簡単な説明】
【図１】本発明筆記具のキャップの縦断面図である。
【図２】第一実施例のペン先シール部材の拡大縦断面図である。
【図３】第二実施例のペン先シール部材の拡大縦断面図である。
【符号の説明】
１  本体
１１  クリップ
１２  装着部
２  ペン先シール部材
２１  筒状支持部
２２  凹部
２３  環状突起
３  潤滑剤
【図１】
0003650893.tif 000002
【図２】
0003650893.tif 000003
【図３】
0003650893.tif 000004